(57)【要約】【課題】被害が発生するおそれがある施設の特定を確実にする。【解決手段】一のマンホール４１の指定を受け付け、一のマンホール４１の周辺又は一のマンホール４１が属する管路４２の下流に設置された他のマンホールの周辺に存在する一以上の施設を特定し、一のマンホール４１と管路４２とが重畳表示された地図２０１において、特定された一以上の施設に関する情報を表示させる。【選択図】図７
2020029727.tif 000002
【特許請求の範囲】
【請求項１】
一のマンホールの指定を受け付け、
前記一のマンホールの周辺又は前記一のマンホールが属する管路の下流に設置された他のマンホールの周辺に存在する一以上の施設を特定し、
前記一のマンホールと前記管路とが重畳表示された地図において、特定された前記一以上の施設に関する情報を表示させる、
下水道状態表示方法。
【請求項２】
前記一以上の施設のうち、前記一のマンホールからの距離又は前記一のマンホールよりも下流に設置された他のマンホールからの距離が所定距離以下である施設を特定する、
請求項１に記載の下水道状態表示方法。
【請求項３】
前記一のマンホールの近傍に設置されたセンサによって、前記管路における水位レベルが閾値を超えた場合に、前記指定を受け付ける、
請求項１又は２に記載の下水道状態表示方法。
【請求項４】
前記閾値は、第１の閾値と、当該第１の閾値よりも大きい第２の閾値とを含み、
前記水位レベルが前記第１の閾値を超え前記第２の閾値を超えていない場合に、前記一以上の施設のうち、優先度が高い施設を特定し、
前記水位レベルが前記第１の閾値及び前記第２の閾値を超えている場合に、前記一以上の施設の全てを特定する、
請求項３に記載の下水道状態表示方法。
【請求項５】
前記一以上の施設のうち、前記一のマンホールが設置されている場所よりも低い標高の場所に存在する施設を特定する、
請求項１〜４のいずれか１項に記載の下水道状態表示方法。
【請求項６】
コンピュータに、
一のマンホールの指定を受け付け、
前記一のマンホールの周辺又は前記一のマンホールが属する管路の下流に設置された他のマンホールの周辺に存在する一以上の施設を特定し、
前記一のマンホールと前記管路とが重畳表示された地図において、特定された前記一以上の施設に関する情報を表示させる、
処理を実行させる、下水道状態表示プログラム。
【発明の詳細な説明】
【技術分野】
【０００１】
本発明は、下水道状態表示方法及び下水道状態表示プログラムに関する。
【背景技術】
【０００２】
下水道における水位を監視するために、地図上におけるマンホールの位置と、各マンホールの情報の一覧とを含んだ画面を端末に表示させることがある。
【０００３】
各マンホールにおける水位状況を確認する画面で閾値よりも高い水位に達しているマンホールがある場合には、端末の画面においてアラートが表示される。これにより、水位の上昇によって氾濫のおそれがあるエリアを確認することができる。
【先行技術文献】
【特許文献】
【０００４】
【特許文献１】特開２０１８−３４７３号公報
【特許文献２】特開２０１３−２３１３１３号公報
【発明の概要】
【発明が解決しようとする課題】
【０００５】
しかしながら、下水道においては、閾値よりも高い水位に達しているマンホールからの氾濫に限らず、当該マンホールが属する下水道管路の下流側に設置されているマンホールにおいて氾濫が発生するおそれがある。
【０００６】
１つの側面では、被害が発生するおそれがある施設の特定を確実にすることを目的とする。
【課題を解決するための手段】
【０００７】
下水道状態表示方法は、一のマンホールの指定を受け付け、前記一のマンホールの周辺又は前記一のマンホールが属する管路の下流に設置された他のマンホールの周辺に存在する一以上の施設を特定し、前記一のマンホールと前記管路とが重畳表示された地図において、特定された前記一以上の施設に関する情報を表示させる。
【発明の効果】
【０００８】
１つの側面では、被害が発生するおそれがある施設の特定を確実にできる。
【図面の簡単な説明】
【０００９】
【図１】実施例における下水道状態表示システムの構成を模式的に示すブロック図である。
【図２】図１に示したサーバのハードウェア構成例を模式的に示すブロック図である。
【図３】図２に示したサーバの機能構成例を模式的に示すブロック図である。
【図４】図２に示したサーバにおけるマンホール情報テーブルを例示する図である。
【図５】図２に示したサーバにおける施設情報テーブルを例示する図である。
【図６】図２に示したサーバにおけるプリセットテーブルを例示する図である。
【図７】図１に示した端末の画面において表示される地図を例示する図である。
【図８】図１に示した端末の画面において表示される地図及びマンホール一覧を例示する図である。
【図９】図２に示したサーバにおける下水道状態表示処理の概要を説明するフローチャートである。
【図１０】図２に示したサーバにおいて２つのマンホールについての下水道状態表示処理を説明するフローチャートである。
【図１１】図２に示したサーバにおける下水道状態表示処理の詳細を説明するフローチャートである。
【図１２】第１変形例における施設情報テーブルを例示する図である。
【図１３】第１変形例におけるプリセットテーブルを例示する図である。
【図１４】第１変形例における下水道状態表示処理を説明するフローチャートである。
【図１５】第１変形例における下水道状態表示処理を説明するフローチャートである。
【図１６】第２変形例におけるマンホール情報テーブルを例示する図である。
【図１７】第２変形例における施設情報テーブルを例示する図である。
【図１８】第２変形例における下水道状態表示処理を説明するフローチャートである。
【発明を実施するための形態】
【００１０】
以下、図面を参照して一実施の形態を説明する。ただし、以下に示す実施形態はあくまでも例示に過ぎず、実施形態で明示しない種々の変形例や技術の適用を排除する意図はない。すなわち、本実施形態を、その趣旨を逸脱しない範囲で種々変形して実施することができる。
【００１１】
また、各図は、図中に示す構成要素のみを備えるという趣旨ではなく、他の機能等を含むことができる。
【００１２】
以下、図中において、同一の各符号は同様の部分を示しているので、その説明は省略する。
【００１３】
〔Ａ〕実施形態の一例
〔Ａ−１〕システム構成例
図１は、実施例における下水道状態表示システム１００の構成を模式的に示すブロック図である。
【００１４】
下水道状態表示システム１００は、サーバ１，端末２，複数（図示する例では、３つ）のGateway（ＧＷ）３及び複数（図示する例では、３つ）のセンサ４を備える。
【００１５】
端末２は、サーバ１と通信可能に接続され、図７及び図８を用いて後述するように、地図２０１やマンホール一覧２０２を画面２００に表示させる。図１に示す例においては下水道状態表示システム１００が１つの端末２を備えることとしているが、下水道状態表示システム１００が備える端末２の数は種々変更することができる。
【００１６】
ＧＷ３は、サーバ１とセンサ４との間の通信を中継する。
【００１７】
センサ４は、下水道管路４２（図７等を用いて後述）における各マンホール４１（図７等を用いて後述）の近傍に設置され、設置された地点における下水や雨水の水位を計測する。
【００１８】
なお、マンホール４１は下水道管路４２に人が入るための穴であり、下水道管路４２は雨水や汚水が流れる管である。下水道管路４２は、「管路」や「管渠」と称されてもよい。
【００１９】
サーバ１は、サーバ機能を備えたコンピュータ（別言すれば、「情報処理装置」）である。図１に示す例においては下水道状態表示システム１００が１つのサーバ１を備えることとしているが、下水道状態表示システム１００が備えるサーバ１の数は種々変更することができる。
【００２０】
図２は、図１に示したサーバ１のハードウェア構成例を模式的に示すブロック図である。
【００２１】
サーバ１は、Central Processing Unit（ＣＰＵ）１１，メモリ１２，表示制御部１３，記憶装置１４，入力Interface（Ｉ／Ｆ）１５，読み書き処理部１６及び通信Ｉ／Ｆ１７を備える。
【００２２】
メモリ１２は、記憶部の一例であり、例示的に、Read Only Memory（ＲＯＭ）及びRandom Access Memory（ＲＡＭ）を含む記憶装置である。メモリ１２のＲＯＭには、Basic Input/Output System（ＢＩＯＳ）等のプログラムが書き込まれてよい。メモリ１２のソフトウェアプログラムは、ＣＰＵ１１に適宜に読み込まれて実行されてよい。また、メモリ１２のＲＡＭは、一次記録メモリあるいはワーキングメモリとして利用されてよい。
【００２３】
表示制御部１３は、表示装置１３０と接続され、表示装置１３０を制御する。表示装置１３０は、液晶ディスプレイやOrganic Light-Emitting Diode（ＯＬＥＤ）ディスプレイ，Cathode Ray Tube（ＣＲＴ），電子ペーパーディスプレイ等であり、オペレータ等に対する各種情報を表示する。表示装置１３０は、入力装置と組み合わされたものでもよく、例えば、タッチパネルでもよい。
【００２４】
記憶装置１４は、例示的に、データを読み書き可能に記憶する装置であり、例えば、Hard Disk Drive（ＨＤＤ）やSolid State Drive（ＳＳＤ），Storage Class Memory（ＳＣＭ）が用いられてよい。
【００２５】
入力Ｉ／Ｆ１５は、マウス１５１やキーボード１５２等の入力装置と接続され、マウス１５１やキーボード１５２等の入力装置を制御する。マウス１５１やキーボード１５２は、入力装置の一例であり、これらの入力装置を介して、オペレータが各種の入力操作を行なう。
【００２６】
読み書き処理部１６は、記録媒体１６０が装着可能に構成される。読み書き処理部１６は、記録媒体１６０が装着された状態において、記録媒体１６０に記録されている情報を読み取り可能に構成される。本例では、記録媒体１６０は、可搬性を有する。例えば、記録媒体１６０は、フレキシブルディスク、光ディスク、磁気ディスク、光磁気ディスク、又は、半導体メモリ等である。
【００２７】
通信Ｉ／Ｆ１７は、外部装置との通信を可能にするためのインタフェースである。
【００２８】
ＣＰＵ１１は、種々の制御や演算を行なう処理装置であり、メモリ１２に格納されたOperating System（ＯＳ）やプログラムを実行することにより、種々の機能を実現する。
【００２９】
サーバ１全体の動作を制御するための装置は、ＣＰＵ１１に限定されず、例えば、ＭＰＵやＤＳＰ，ＡＳＩＣ，ＰＬＤ，ＦＰＧＡのいずれか１つであってもよい。また、サーバ１全体の動作を制御するための装置は、ＣＰＵ，ＭＰＵ，ＤＳＰ，ＡＳＩＣ，ＰＬＤ及びＦＰＧＡのうちの２種類以上の組み合わせであってもよい。なお、ＭＰＵはMicro Processing Unitの略称であり、ＤＳＰはDigital Signal Processorの略称であり、ＡＳＩＣはApplication Specific Integrated Circuitの略称である。また、ＰＬＤはProgrammable Logic Deviceの略称であり、ＦＰＧＡはField Programmable Gate Arrayの略称である。
【００３０】
なお、端末２も、サーバ１と同様に、図２に示したハードウェア構成を備えてよい。
【００３１】
図３は、図２に示したサーバ１の機能構成例を模式的に示すブロック図である。
【００３２】
サーバ１は、図３に示すように、受付部１１１，特定部１１２及び表示処理部１１３として機能する。
【００３３】
なお、これらの受付部１１１，特定部１１２及び表示処理部１１３として機能を実現するためのプログラムは、例えば前述した記録媒体１６０に記録された形態で提供される。そして、コンピュータは読み書き処理部１６を介してその記録媒体１６０からプログラムを読み取って内部記憶装置または外部記憶装置に転送し格納して用いる。また、そのプログラムを、例えば磁気ディスク，光ディスク，光磁気ディスク等の記憶装置（記録媒体）に記録しておき、その記憶装置から通信経路を介してコンピュータに提供してもよい。
【００３４】
受付部１１１，特定部１１２及び表示処理部１１３としての機能を実現する際には、内部記憶装置に格納されたプログラムがコンピュータのマイクロプロセッサによって実行される。このとき、記録媒体１６０に記録されたプログラムをコンピュータが読み取って実行してもよい。なお、本実施形態において、内部記憶装置はメモリ１２であり、マイクロプロセッサはＣＰＵ１１である。
【００３５】
受付部１１１は、一のマンホール４１の指定を受け付ける。受付部１１１は、一のマンホール４１の近傍に設置されたセンサ４によって、下水道管路４２における水位レベルが閾値を超えた場合に、指定を受け付けてよい。また、受付部１１１は、複数のマンホール４１のうち一のマンホール４１の指定を端末２から受け付けてもよい。
【００３６】
特定部１１２は、一のマンホール４１の周辺又は一のマンホール４１が属する下水道管路４２の下流に設置された他のマンホールの周辺に存在する一以上の施設を特定する。特定部１１２は、一以上の施設のうち、一のマンホール４１からの距離又は一のマンホール４１よりも下流に設置された他のマンホール４１からの距離が所定距離以下である施設を特定してよい。
【００３７】
表示処理部１１３は、一のマンホール４１と下水道管路４２とが重畳表示された地図２０１（図７及び図８等を用いて後述）において、特定された一以上の施設に関する情報を表示させる。
【００３８】
図４は、図２に示したサーバ１におけるマンホール情報テーブル１０１を例示する図である。
【００３９】
マンホール情報テーブル１０１には、センサ４が近傍に設置されているマンホール４１に関する情報が含まれる。マンホール情報テーブル１０１に関する情報は、例えば、図２に示した記憶装置１４に記憶される。図４に例示するように、マンホール情報テーブル１０１は、マンホール名称，Ｘ座標，Ｙ座標，所属管路及び上流からの順の各情報を含む。
【００４０】
マンホール名称は、マンホール４１の名称を示す。Ｘ座標は、マンホール４１が位置する地図２０１上におけるＸ軸方向の座標を示す。Ｙ座標は、マンホール４１が位置する地図２０１上におけるＹ軸方向の座標を示す。所属管路は、マンホール４１が属する下水道管路４２を示す。上流からの順は、各下水道管路４２において上流方向から数えたマンホール４１の設置順序を示す。
【００４１】
図５は、図２に示したサーバ１における施設情報テーブル１０２を例示する図である。
【００４２】
施設情報テーブル１０２には、マンホール４１からの氾濫によって被害が発生しやすい施設、すなわち、避難に時間を要する人が多く存在したり、浸水しやすかったりする施設に関する情報が含まれる。施設情報テーブル１０２に関する情報は、例えば、図２に示した記憶装置１４に記憶される。図５に例示するように、施設情報テーブル１０２は、名称，Ｘ座標及びＹ座標の各情報を含む。
【００４３】
名称は、施設の名称を示す。Ｘ座標は、施設が位置する地図上におけるＸ軸方向の座標を示す。Ｙ座標は、施設が位置する地図上におけるＹ軸方向の座標を示す。
【００４４】
図６は、図２に示したサーバ１におけるプリセットテーブル１０３を例示する図である。
【００４５】
プリセットテーブル１０３には、下水道状態の表示を行なうにあたって、予め設定された値が含まれる。プリセットテーブル１０３に関する情報は、例えば、図２に示した記憶装置１４に記憶される。図６に例示するように、プリセットテーブル１０３は、危険範囲及び水位閾値の各情報を含む。
【００４６】
危険範囲は、マンホール４１の氾濫によって被害の発生が予測される範囲（例えば、マンホール４１を中心とした半径）を示す。図示する例において、危険範囲は１００メートル（ｍ）である。
【００４７】
水位閾値は、マンホール４１の氾濫が予測される水位を示す。図示する例において、水位閾値は１ｍである。
【００４８】
図７は、図１に示した端末２の画面２００において表示される地図２０１を例示する図である。
【００４９】
図７に示す例において、地図２０１には、４つのマンホール４１（「マンホールＡ〜Ｃ及びＸ」と称してもよい。），２つの下水道管路４２（「下水道管路ＡＡ及びＡＢ」と称してもよい。），河川４３，地下街５１，老人ホーム５２及び学校５３，５４が示されている。
【００５０】
図示する例において、マンホールＡ〜Ｃは下水道管路ＡＡに属し、マンホールＸは下水道管路ＡＢに属する。下水道管路ＡＡにおいては、上流から順番にマンホールＡ，マンホールＢ，マンホールＣの順に配置されている。
【００５１】
図７において、各マンホール４１の氾濫による被害発生が予測される危険範囲は、破線の円で示されている。図示する例では、地下街５１及び学校５４が危険範囲内に位置している。
【００５２】
図７に示す例において、マンホールＡの近傍に設置されたセンサ４が計測した水位レベルが水位閾値を超えた場合を想定する（符号Ａ１参照）。この場合において、マンホールＡと、マンホールＡを中心とする危険範囲内に存在する地下街５１と、マンホールＡが属する下水道管路ＡＡの下流方向のマンホールＣを中心とする危険範囲内に存在する学校５４とが、少なくとも地図２０１に含まれるように画面２００に表示されてよい。
【００５３】
また、マンホールＡを中心とする危険範囲内に存在する地下街５１が強調表示される（符号Ａ２参照）とともに、マンホールＡが属する下水道管路ＡＡの下流方向のマンホールＣを中心とする危険範囲内に存在する学校５４が強調表示される（符号Ａ３参照）。なお、危険範囲内に存在しない老人ホーム５２及び学校５３は、地図２０１において表示されなくてもよい。
【００５４】
ここで、地図２０１においてマンホールＣが選択された場合（符号Ａ４参照）には、マンホールＣを中心とする危険範囲内に存在する学校５４に限って強調表示されてもよい。
【００５５】
図８は、図１に示した端末２の画面２００において表示される地図２０１及びマンホール一覧２０２を例示する図である。
【００５６】
端末２の画面２００には、図７に示した地図２０１に加えて、マンホール一覧２０２が表示されてもよい。
【００５７】
マンホール一覧２０２には、Ｎｏ，地区名，名称，位置，水位，満管率，状態，降水量及び天気が示されてよい。
【００５８】
Ｎｏは、マンホール４１を特定するための番号である。地区名は、マンホール４１が設置されている地区の名称である。名称は、マンホール４１の名称である。位置は、マンホール４１が設置されている位置であり、例えば座標である。水位は、マンホール４１の近傍における下水道管路４２の水位を示す。満管率は、マンホール４１の近傍における下水道管路４２において流水可能な水量に対する測定時の水量の割合を示す。状態は、マンホール４１の近傍における状態（例えば、「平常」又は「異常」の別）を示す。降水量は、マンホール４１の近傍における雨の降水量を示す。天気は、マンホール４１の近傍における天気を示す。
【００５９】
図８に示す例において、マンホールＡの近傍に設置されたセンサ４が計測した水位レベルが水位閾値を超えた場合を想定する（符号Ｂ１参照）。この場合において、マンホール一覧２０２のＮｏ．１の列におけるマンホールＡは、水位が１．０３ｍで、満管率が８０．０３％で、状態が危険である（符号Ｂ２参照）。また、マンホールＡを中心とする危険範囲内に存在する地下街５１が強調表示される（符号Ｂ３参照）とともに、マンホールＡが属する下水道管路ＡＡの下流方向のマンホールＣを中心とする危険範囲内に存在する学校５４が強調表示される（符号Ｂ４参照）。
【００６０】
ここで、地図２０１においてマンホールＣが選択された場合（符号Ｂ５参照）場合には、地図２０１において、マンホールＣを中心とする危険範囲内に存在する学校５４に限って強調表示されてもよい。また、マンホール一覧２０２においてＮｏ．３の列のマンホールＣが選択された場合（符号Ｂ６参照）にも、地図２０１において、マンホールＣを中心とする危険範囲内に存在する学校５４に限って強調表示されてもよい。
【００６１】
画面２００の表示形式は、図７及び図８に示した例に限定されるものではない。被害発生の可能性があるとして特定された施設の名称等がテキスト情報で表示されてもよい。また、地図２０１においては、被害発生の可能性があるとして特定された施設に限って表示されてもよいし、施設とマンホール４１とに限って表示されてもよい。
【００６２】
〔Ａ−２〕動作例
図２に示したサーバ１における下水道状態表示処理の概要を、図９に示すフローチャート（ステップＳ１〜Ｓ６）に従って説明する。
【００６３】
受付部１１１は、端末２の画面２００における地図２０１上のマンホール４１又はマンホール一覧２０２からの対象マンホール４１の選択を受け付ける（ステップＳ１）。
【００６４】
受付部１１１は、選択されたマンホール４１の座標を記憶装置１４に記憶させる（ステップＳ２）。
【００６５】
特定部１１２は、マンホール情報テーブル１０１に基づき、選択されたマンホール４１の下水道管路４２の情報と、上流からの設置順位とを参照する（ステップＳ３）。
【００６６】
特定部１１２は、同一の下水道管路４２上、且つ、設置順位が次のマンホール４１を検索する（ステップＳ４）。
【００６７】
特定部１１２は、検索されたマンホール４１の座標を記憶装置１４に記憶させる（ステップＳ５）。
【００６８】
表示処理部１１３は、選択されたマンホール４１の座標と検索されたマンホール４１の座標とが表示される位置及び縮尺によって、端末２の画面２００に地図２０１を表示させる（ステップＳ６）。そして、下水道状態表示処理は終了する。
【００６９】
次に、図２に示したサーバ１において２つのマンホール４１についての下水道状態表示処理を、図１０に示すフローチャート（ステップＳ１１〜Ｓ２３）に従って説明する。
【００７０】
特定部１１２は、指定水位を超えたマンホールＡの下水道管路４２に関する情報をマンホール情報テーブル１０１から読み出して記憶装置１４に記憶させる（ステップＳ１１）。
【００７１】
特定部１１２は、マンホール情報テーブル１０１からマンホールＡの座標に関する情報を読み出して記憶装置１４に記憶させる（ステップＳ１２）。
【００７２】
特定部１１２は、マンホールＡの座標と施設情報テーブル１０２における各施設の座標とを比較して、各施設とマンホールＡとの間の距離を算出して記憶装置１４に記憶させる（ステップＳ１３）。
【００７３】
特定部１１２は、プリセットテーブル１０３における危険範囲の距離を読み出し、各施設とマンホールＡとの間の距離と比較して、危険範囲内に位置する施設を抽出する（ステップＳ１４）。ここで、危険範囲内に施設が存在しない場合には、マンホールＡに最も近い施設が抽出されてよい。
【００７４】
特定部１１２は、抽出した施設の座標を施設情報テーブル１０２から読み出して記憶装置１４に記憶させる（ステップＳ１５）。
【００７５】
特定部１１２は、マンホールＡと同じ下水道管路４２上にある下流の次のマンホールＢを検索する（ステップＳ１６）。
【００７６】
特定部１１２は、マンホール情報テーブル１０１からマンホールＢの座標に関する情報を読み出して記憶装置１４に記憶させる（ステップＳ１７）。
【００７７】
特定部１１２は、マンホールＢの座標と施設情報テーブル１０２における各施設の座標とを比較して、各施設とマンホールＢとの間の距離を算出して記憶装置１４に記憶させる（ステップＳ１８）。
【００７８】
特定部１１２は、プリセットテーブル１０３における危険範囲の距離を読み出し、各施設とマンホールＢとの間の距離と比較して、危険範囲内に位置する施設を抽出する（ステップＳ１９）。ここで、危険範囲内に施設が存在しない場合には、マンホールＢに最も近い施設が抽出されてよい。
【００７９】
特定部１１２は、抽出した施設の座標を施設情報テーブル１０２から読み出して記憶装置１４に記憶させる（ステップＳ２０）。
【００８０】
表示処理部１１３は、マンホールＡとマンホールＢとの間の下水道管路４２の座標における最大及び最小のＸ，Ｙ座標を抽出する（ステップＳ２１）。
【００８１】
表示処理部１１３は、マンホールＡとマンホールＢとの間の下水道管路４２の座標における最大及び最小のＸ，Ｙ座標と、抽出した施設の座標とを特定する。そして、表示処理部１１３は、特定した座標に中から、最大のＸ座標（Ｘ１），最大のＹ座標（Ｙ１），最小のＸ座標（ｘ１）及び最小のＹ座標（ｙ１）を抽出する（ステップＳ２２）。
【００８２】
表示処理部１１３は、座標（Ｘ１，Ｙ１），（ｘ１，Ｙ１），（ｘ１，ｙ１）及び（Ｘ１，ｙ１）が画面２００に入るように端末２において地図２０１を表示させる（ステップＳ２３）。そして、下水道状態表示処理は終了する。
【００８３】
次に、図２に示したサーバ１における下水道状態表示処理の詳細を、図１１に示すフローチャート（ステップＳ３１〜Ｓ４１）に従って説明する。
【００８４】
特定部１１２は、水位閾値を超えたマンホール４１があるかを判定する（ステップＳ３１）。
【００８５】
水位閾値を超えたマンホール４１がない場合には（ステップＳ３１のＮｏルート参照）、ステップＳ３１の処理が繰り返される。
【００８６】
一方、水位閾値を超えたマンホール４１がある場合には（ステップＳ３１のＹｅｓルート参照）、特定部１１２は、プリセットテーブル１０３から危険距離を読み込む（ステップＳ３２）。
【００８７】
特定部１１２は、マンホール情報テーブル１０１から該当マンホール４１の座標を読み込み、該当マンホール初期値として記憶装置１４に記憶させる（ステップＳ３３）。
【００８８】
特定部１１２は、該当マンホール４１の座標と施設情報テーブル１０２における各施設の座標とを比較して、各施設と該当マンホール４１との間の距離を施設距離として算出する（ステップＳ３４）。
【００８９】
特定部１１２は、危険距離以下の施設距離が有るかを判定する（ステップＳ３５）。
【００９０】
危険距離以下の施設距離がある場合には（ステップＳ３５のＹｅｓルート参照）、特定部１１２は、危険距離以下の施設の座標を記憶装置１４に記憶させる（ステップＳ３６）。
【００９１】
表示処理部１１３は、端末２の画面２００に表示させる最大及び最小の座標を抽出する（ステップＳ３７）。具体的には、表示処理部１１３は、該当マンホール初期値と危険距離以下の各施設の座標とのうち、最大のＸ座標（Ｘ１），最小のＸ座標（ｘ１），最大のＹ座標（Ｙ１）及び最小のＹ座標（ｙ１）を抽出する。
【００９２】
表示処理部１１３は、座標（Ｘ１，Ｙ１），（ｘ１，Ｙ１），（ｘ１，ｙ１）及び（Ｘ１，ｙ１）が画面２００に入るように端末２において地図２０１を表示させる（ステップＳ３８）。そして、下水道状態表示処理は終了する。
【００９３】
ステップＳ３５において、危険距離以下の施設距離がない場合には（ステップＳ３５のＮｏルート参照）、特定部１１２は、マンホール情報テーブル１０１において、該当マンホール４１の上流からの順位を読み込む（ステップＳ３９）。
【００９４】
特定部１１２は、読み込んだ順に基づき、次のマンホール４１を新たな該当マンホール４１に設定する（ステップＳ４０）。
【００９５】
特定部１１２は、マンホール情報テーブル１０１から、該当マンホール４１の座標を読み込む（ステップＳ４１）。そして、処理はステップＳ３４へ戻る。
【００９６】
〔Ａ−３〕効果
上述した実施形態の一例における下水道状態表示方法によれば、例えば、以下の作用効果を奏することができる。
【００９７】
受付部１１１は、一のマンホール４１の指定を受け付ける。特定部１１２は、一のマンホール４１の周辺又は一のマンホール４１が属する下水道管路４２の下流に設置された他のマンホールの周辺に存在する一以上の施設を特定する。表示処理部１１３は、一のマンホール４１と下水道管路４２とが重畳表示された地図２０１において、特定された一以上の施設に関する情報を表示させる。
【００９８】
これにより、被害が発生するおそれがある施設の特定を確実にできる。
【００９９】
特定部１１２は、一以上の施設のうち、一のマンホール４１からの距離又は一のマンホール４１よりも下流に設置された他のマンホール４１からの距離が所定距離以下である施設を特定する。
【０１００】
これにより、マンホール４１からの距離が近い施設の特定を優先できる。また、増水したマンホール４１よりも下流方向に存在するマンホール４１の周囲に存在する施設も特定できるため、早期に避難や浸水防止対策等を開始できる。
【０１０１】
受付部１１１は、一のマンホール４１の近傍に設置されたセンサ４によって、下水道管路４２における水位レベルが閾値を超えた場合に、指定を受け付ける。
【０１０２】
これにより、下水道管路４２における水位レベルが上昇した際に、被害発生のおそれがある施設を特定できる。
【０１０３】
〔Ｂ〕第１変形例
上述した実施形態の一例では１つの水位閾値を設定することとしたが、これに限定されるものではない。第１変形例では、複数（例えば、２つ）の水位閾値が設定される。
【０１０４】
図１２は、第１変形例における施設情報テーブル１０２ａを例示する図である。
【０１０５】
図１２に示す施設情報テーブル１０２ａは、図５に示した施設情報テーブル１０２が含む情報に加えて、優先度の情報が含まれる。
【０１０６】
図１２に示す例において、学校及び老人ホームの優先度が１に設定され、地下街の優先度が２に設定されている。図示する例では、施設の優先度の値が小さいほど、優先度が高いことを示し、地図２０１への表示が優先される。
【０１０７】
図１３は、第１変形例におけるプリセットテーブル１０３を例示する図である。
【０１０８】
図１３に示すプリセットテーブル１０３ａでは、図６に示したプリセットテーブル１０３における水位閾値が、警戒水位閾値（「第１の閾値」と称してもよい。）と危険水位閾値（「第２の閾値」と称してもよい。）との２つに分けられている。
【０１０９】
例えば、警戒水位閾値はマンホール４１からの氾濫が発生するおそれがある水位を示し、危険水位閾値はマンホール４１からの氾濫が発生する可能性が高い水位を示す。図示する例において、警戒水位閾値は０．５ｍであり、危険水位閾値は１ｍである。
【０１１０】
第１変形例における下水道状態表示処理を、図１４及び図１５に示すフローチャート（ステップＳ５１〜Ｓ６７）に従って説明する。なお、図１４にはステップＳ５１〜Ｓ５９における処理を示し、図１５にはステップＳ６０〜Ｓ６７における処理を示す。
【０１１１】
図１４において、特定部１１２は、警戒水位閾値を超えたマンホール４１があるかを判定する（ステップＳ５１）。
【０１１２】
警戒水位閾値を超えたマンホール４１がない場合には（ステップＳ５１のＮｏルート参照）、ステップＳ５１における処理が繰り返される。
【０１１３】
一方、警戒水位閾値を超えたマンホール４１がある場合には（ステップＳ５１のＹｅｓルート参照）、特定部１１２は、危険水位閾値を超えたマンホール４１があるかを判定する（ステップＳ５２）。
【０１１４】
危険水位閾値を超えたマンホール４１がある場合には（ステップＳ５２のＹｅｓルート参照）、特定部１１２は、水位フラグを危険に設定する（ステップＳ５３）。そして、処理はステップＳ５５へ進む。
【０１１５】
一方、危険水位閾値を超えたマンホール４１がない場合には（ステップＳ５２のＮｏルート参照）、特定部１１２は、水位フラグを警戒に設定する（ステップＳ５４）。
【０１１６】
特定部１１２は、プリセットテーブル１０３ａから、危険距離を読み込む（ステップＳ５５）。
【０１１７】
特定部１１２は、マンホール情報テーブル１０１から該当マンホール４１の座標を読み込み、該当マンホール初期値として該当マンホール４１の座標を記憶装置１４に記憶させる（ステップＳ５６）。
【０１１８】
特定部１１２は、水位フラグが警戒であるかを判定する（ステップＳ５７）。
【０１１９】
水位フラグが警戒である場合には（ステップＳ５７のＹｅｓルート参照）、特定部１１２は、施設情報テーブル１０２ａから優先度が１の施設を抽出する（ステップＳ５８）。そして、処理は図１５のステップＳ６０へ進む。
【０１２０】
一方、水位フラグが警戒でない（別言すれば、危険である）場合には（ステップＳ５７のＮｏルート参照）、特定部１１２は、施設情報テーブル１０２ａから優先度が１及び２の施設を抽出する（ステップＳ５９）。
【０１２１】
図１５において、特定部１１２は、該当マンホール４１の座標と抽出した各施設の座標とを比較して、各施設と該当マンホール４１との間の距離を施設距離として算出する（ステップＳ６０）。
【０１２２】
特定部１１２は、危険距離以下の施設距離があるかを判定する（ステップＳ６１）。
【０１２３】
危険距離以下の施設距離がある場合には（ステップＳ６１のＹｅｓルート参照）、特定部１１２は、危険距離以下の施設の座標を記憶装置１４に記憶させる（ステップＳ６２）。
【０１２４】
表示処理部１１３は、端末２の画面２００に表示させる最大及び最小の座標を抽出する（ステップＳ６３）。具体的には、表示処理部１１３は、該当マンホール初期値と危険距離以下の各施設の座標とのうち、最大のＸ座標（Ｘ１），最小のＸ座標（ｘ１），最大のＹ座標（Ｙ１）及び最小のＹ座標（ｙ１）を抽出する。
【０１２５】
表示処理部１１３は、座標（Ｘ１，Ｙ１），（ｘ１，Ｙ１），（ｘ１，ｙ１）及び（Ｘ１，ｙ１）が画面２００に入るように端末２において地図２０１を表示させる（ステップＳ６４）。そして、下水道状態表示処理は終了する。
【０１２６】
ステップＳ６１において、危険距離以下の施設距離がない場合には（ステップＳ６１のＮｏルート参照）、特定部１１２は、マンホール情報テーブル１０１において、該当マンホール４１の上流からの順位を読み込む（ステップＳ６５）。
【０１２７】
特定部１１２は、読み込んだ順に基づき、次のマンホール４１を新たな該当マンホール４１に設定する（ステップＳ６６）。
【０１２８】
特定部１１２は、マンホール情報テーブル１０１から、該当マンホール４１の座標を読み込む（ステップＳ６７）。そして、処理はステップＳ６０へ戻る。
【０１２９】
第１変形例における下水道状態表示方法によれば、上述した実施形態の一例と同様の作用効果を奏することができる他、例えば以下の作用効果を奏することができる。
【０１３０】
特定部１１２は、水位レベルが警戒水位閾値を超え危険水位閾値を超えていない場合に、一以上の施設のうち、優先度が高い施設を特定する。また、特定部１１２は、水位レベルが警戒水位閾値及び危険水位閾値を超えている場合に、一以上の施設の全てを特定する。
【０１３１】
これにより、下水道管路４２の増水時において、水位レベルが比較的低い場合には避難困難者が多く存在する施設に限って特定する一方、水位レベルが比較的高い場合には全ての施設を特定することができる。
【０１３２】
〔Ｃ〕第２変形例
上述した実施形態の一例では、危険範囲内の施設を全て抽出することとしたが、これに限定されるものではない。第２変形例では、水位閾値を超えたマンホール４１の標高よりも低い標高に位置する施設を抽出する。
【０１３３】
図１６は、第２変形例におけるマンホール情報テーブル１０１ｂを例示する図である。
【０１３４】
図１６に示すマンホール情報テーブル１０１ｂは、図４に示したマンホール情報テーブル１０１が含む各情報に加えて、標高の情報を含む。
【０１３５】
図１６において、標高は、マンホール４１が存在する場所の高度を示す。
【０１３６】
図１７は、第２変形例における施設情報テーブル１０２ｂを例示する図である。
【０１３７】
図１７に示す施設情報テーブル１０２ｂは、図５に示した施設情報テーブル１０２が含む各情報に加えて、標高の情報を含む。
【０１３８】
図１７において、標高は、施設が存在する場所の高度を示す。
【０１３９】
第２変形例における下水道状態表示処理を、図１８に示すフローチャート（ステップＳ７１〜Ｓ８２）に従って説明する。
【０１４０】
特定部１１２は、水位閾値を超えたマンホール４１があるかを判定する（ステップＳ７１）。
【０１４１】
水位閾値を超えたマンホール４１がない場合には（ステップＳ７１のＮｏルート参照）、ステップＳ７１における処理が繰り返される。
【０１４２】
一方、水位閾値を超えたマンホール４１がある場合には（ステップＳ７１のＹｅｓルート参照）、特定部１１２は、プリセットテーブル１０３から、危険距離を読み込む（ステップＳ７２）。
【０１４３】
特定部１１２は、マンホール情報テーブル１０１ｂから該当マンホール４１の座標を読み込み、該当マンホール初期値として該当マンホール４１の座標を記憶装置１４に記憶させる（ステップＳ７３）。
【０１４４】
特定部１１２は、該当マンホール４１の座標と抽出した各施設の座標とを比較して、各施設と該当マンホール４１との間の距離を施設距離として算出する（ステップＳ７４）。
【０１４５】
特定部１１２は、危険距離以下の施設距離があるかを判定する（ステップＳ７５）。
【０１４６】
危険距離以下の施設距離がある場合には（ステップＳ７５のＹｅｓルート参照）、特定部１１２は、マンホール情報テーブル１０１ｂ及び施設情報テーブル１０２ｂを参照して、危険距離以下の距離に位置する施設の標高と、該当マンホール４１の標高とを比較する。そして、特定部１１２は、該当マンホール４１よりも標高が低い施設が存在するかを判定する（ステップＳ７６）。
【０１４７】
該当マンホール４１よりも標高が低い施設が存在しない場合には（ステップＳ７６のＮｏルート参照）、処理はステップＳ８０へ進む。
【０１４８】
一方、該当マンホール４１よりも標高が低い施設が存在する場合には（ステップＳ７６のＹｅｓルート参照）、特定部１１２は、危険距離以下であり、該当マンホール４１よりも標高が低い施設の座標を記憶装置１４に記憶させる（ステップＳ７７）。
【０１４９】
表示処理部１１３は、端末２の画面２００に表示させる最大及び最小の座標を抽出する（ステップＳ７８）。具体的には、表示処理部１１３は、該当マンホール初期値と危険距離以下の各施設の座標とのうち、最大のＸ座標（Ｘ１），最小のＸ座標（ｘ１），最大のＹ座標（Ｙ１）及び最小のＹ座標（ｙ１）を抽出する。
【０１５０】
表示処理部１１３は、座標（Ｘ１，Ｙ１），（ｘ１，Ｙ１），（ｘ１，ｙ１）及び（Ｘ１，ｙ１）が画面２００に入るように端末２において地図２０１を表示させる（ステップＳ７９）。そして、下水道状態表示処理は終了する。
【０１５１】
ステップＳ７５において、危険距離以下の施設距離がない場合には（ステップＳ７５のＮｏルート参照）、特定部１１２は、マンホール情報テーブル１０１ｂにおいて、該当マンホール４１の上流からの順位を読み込む（ステップＳ８０）。
【０１５２】
特定部１１２は、読み込んだ順に基づき、次のマンホール４１を新たな該当マンホール４１に設定する（ステップＳ８１）。
【０１５３】
特定部１１２は、マンホール情報テーブル１０１ｂから、該当マンホール４１の座標を読み込む（ステップＳ８２）。そして、処理はステップＳ７４へ戻る。
【０１５４】
第２変形例における下水道状態表示方法によれば、上述した実施形態の一例と同様の作用効果を奏することができる他、例えば以下の作用効果を奏することができる。
【０１５５】
特定部１１２は、一以上の施設のうち、一のマンホール４１が設置されている場所よりも低い標高の場所に存在する施設を特定する。
【０１５６】
これにより、マンホール４１よりも標高が高い場所に位置することにより、被害発生の可能性が低い施設を特定対象から除外できる。
【０１５７】
〔Ｄ〕その他
開示の技術は上述した実施形態に限定されるものではなく、本実施形態の趣旨を逸脱しない範囲で種々変形して実施することができる。本実施形態の各構成及び各処理は、必要に応じて取捨選択することができ、あるいは適宜組み合わせてもよい。
【０１５８】
〔Ｅ〕付記
以上の実施形態に関し、さらに以下の付記を開示する。
【０１５９】
（付記１）
一のマンホールの指定を受け付け、
前記一のマンホールの周辺又は前記一のマンホールが属する管路の下流に設置された他のマンホールの周辺に存在する一以上の施設を特定し、
前記一のマンホールと前記管路とが重畳表示された地図において、特定された前記一以上の施設に関する情報を表示させる、
下水道状態表示方法。
【０１６０】
（付記２）
前記一以上の施設のうち、前記一のマンホールからの距離又は前記一のマンホールよりも下流に設置された他のマンホールからの距離が所定距離以下である施設を特定する、
付記１に記載の下水道状態表示方法。
【０１６１】
（付記３）
前記一のマンホールの近傍に設置されたセンサによって、前記管路における水位レベルが閾値を超えた場合に、前記指定を受け付ける、
付記１又は２に記載の下水道状態表示方法。
【０１６２】
（付記４）
前記閾値は、第１の閾値と、当該第１の閾値よりも大きい第２の閾値とを含み、
前記水位レベルが前記第１の閾値を超え前記第２の閾値を超えていない場合に、前記一以上の施設のうち、優先度が高い施設を特定し、
前記水位レベルが前記第１の閾値及び前記第２の閾値を超えている場合に、前記一以上の施設の全てを特定する、
付記３に記載の下水道状態表示方法。
【０１６３】
（付記５）
前記一以上の施設のうち、前記一のマンホールが設置されている場所よりも低い標高の場所に存在する施設を特定する、
付記１〜４のいずれか１項に記載の下水道状態表示方法。
【０１６４】
（付記６）
コンピュータに、
一のマンホールの指定を受け付け、
前記一のマンホールの周辺又は前記一のマンホールが属する管路の下流に設置された他のマンホールの周辺に存在する一以上の施設を特定し、
前記一のマンホールと前記管路とが重畳表示された地図において、特定された前記一以上の施設に関する情報を表示させる、
処理を実行させる、下水道状態表示プログラム。
【０１６５】
（付記７）
前記一以上の施設のうち、前記一のマンホールからの距離又は前記一のマンホールよりも下流に設置された他のマンホールからの距離が所定距離以下である施設を特定する、
処理を前記コンピュータに実行させる、付記６に記載の下水道状態表示プログラム。
【０１６６】
（付記８）
前記一のマンホールの近傍に設置されたセンサによって、前記管路における水位レベルが閾値を超えた場合に、前記指定を受け付ける、
処理を前記コンピュータに実行させる、付記６又は７に記載の下水道状態表示プログラム。
【０１６７】
（付記９）
前記閾値は、第１の閾値と、当該第１の閾値よりも大きい第２の閾値とを含み、
前記水位レベルが前記第１の閾値を超え前記第２の閾値を超えていない場合に、前記一以上の施設のうち、優先度が高い施設を特定し、
前記水位レベルが前記第１の閾値及び前記第２の閾値を超えている場合に、前記一以上の施設の全てを特定する、
処理を前記コンピュータに実行させる、付記８に記載の下水道状態表示プログラム。
【０１６８】
（付記１０）
前記一以上の施設のうち、前記一のマンホールが設置されている場所よりも低い標高の場所に存在する施設を特定する、
処理を前記コンピュータに実行させる、付記６〜９のいずれか１項に記載の下水道状態表示プログラム。
【符号の説明】
【０１６９】
１００    ：下水道状態表示システム
１        ：サーバ
２        ：端末
４        ：センサ
１１      ：ＣＰＵ
１１１    ：受付部
１１２    ：特定部
１１３    ：表示処理部
１２      ：メモリ
１３      ：表示制御部
１３０    ：表示装置
１４      ：記憶装置
１５      ：入力Ｉ／Ｆ
１５１    ：マウス
１５２    ：キーボード
１６      ：読み書き処理部
１６０    ：記録媒体
１７      ：通信Ｉ／Ｆ
４１      ：マンホール
４２      ：下水道管路
４３      ：河川
５１      ：地下街
５２      ：老人ホーム
５３，５４：学校
１０１，１０１ｂ：マンホール情報テーブル
１０２，１０２ａ，１０２ｂ：施設情報テーブル
１０３，１０３ａ：プリセットテーブル
２００    ：画面
２０１    ：地図
２０２    ：マンホール一覧
【図１】
2020029727.tif 000003
【図２】
2020029727.tif 000004
【図３】
2020029727.tif 000005
【図４】
2020029727.tif 000006
【図５】
2020029727.tif 000007
【図６】
2020029727.tif 000008
【図７】
2020029727.tif 000009
【図８】
2020029727.tif 000010
【図９】
2020029727.tif 000011
【図１０】
2020029727.tif 000012
【図１１】
2020029727.tif 000013
【図１２】
2020029727.tif 000014
【図１３】
2020029727.tif 000015
【図１４】
2020029727.tif 000016
【図１５】
2020029727.tif 000017
【図１６】
2020029727.tif 000018
【図１７】
2020029727.tif 000019
【図１８】
2020029727.tif 000020